(57)【要約】      （修正有）【課題】各鍵の支点の位置を前後方向に異ならせてアコースティックピアノの鍵タッチ感及び外観を模擬した鍵盤装置のコストを削減するとともに、生産性を向上させる。【解決手段】複数の白鍵１１ｗ及び黒鍵１１ｂの揺動に連動して揺動するハンマーを設ける。複数の白鍵１１ｗ及び黒鍵１１ｂは、ハンマーを駆動する駆動部を有する。駆動部は、鍵の前端部に設けられる。複数の白鍵１１ｗ及び黒鍵１１ｂの揺動角度がそれぞれ所定の角度に達したとき、複数の白鍵１１ｗの上面及び複数の黒鍵１１ｂの上面がそれぞれ同一面内に位置するように、各白鍵１１ｗの鍵支点部と白鍵１１ｗの前端とを含む平面と、各白鍵１１ｗの上面との位置関係を設定し、各黒鍵１１ｂの鍵支点部と黒鍵１１ｂの前端とを含む平面と、各黒鍵１１ｂの上面との位置関係を設定する。【選択図】図１
2013167726.tif 000002
【特許請求の範囲】
【請求項１】
音高がそれぞれ割り当てられていて、演奏者の押離鍵操作によって前端が上下方向に揺動するように鍵支点部にてそれぞれ支持され、側面と上面との交差部にて前後方向に延びる稜線が形成されている複数の白鍵、及び下側の側面と前記下側の側面に対して内側に傾斜した上側の側面との交差部にて前後方向に延びる稜線が形成されている複数の黒鍵であって、前記押離鍵操作される操作部と、前記操作部の前端部にて下方へ延設された駆動部をそれぞれ有していて、前記操作部の前端から鍵支点部までの距離を互いに異ならせた複数の白鍵及び複数の黒鍵と、
前記複数の白鍵及び複数の黒鍵の前記駆動部に係合する係合部をそれぞれ有していて、前記複数の白鍵及び複数の黒鍵の揺動に連動して揺動するようにハンマー支点部にてそれぞれ支持された複数のハンマーと、
前記複数の白鍵及び複数の黒鍵の並び方向に延設されていて、前記複数のハンマーの揺動を規制して、前記複数の白鍵及び複数の黒鍵の揺動範囲を規定する規制部材とを備えた鍵盤装置において、
前記複数の白鍵及び複数の黒鍵のうちの第１の鍵及び前記距離が前記第１の鍵の前記距離よりも長い第２の鍵であって、白鍵同士又は黒鍵同士である第１の鍵及び第２の鍵がそれぞれ所定の揺動角度にあるとき、前記第１の鍵の操作部の前端の上下方向及び前後方向の位置が前記第２の鍵の操作部の前端の上下方向及び前後方向の位置と共通であり、かつ前記第１の鍵の上面が前記第２の鍵の上面と同一面内にあるように、前記第１の鍵の鍵支点部及び前記第１の鍵の操作部の前端を含む平面と、前記第１の鍵の上面との位置関係を設定したことを特徴とする電子楽器の鍵盤装置。
【請求項２】
請求項１に記載の電子楽器の鍵盤装置において、
前記第１の鍵の鍵支点部を、前記第２の鍵が離鍵されている状態における前記第２の鍵の鍵支点部と前記第２の鍵の前端とを含む基準平面よりも下方に設け、
前記第１の鍵及び第２の鍵が離鍵されているとき、前記第１の鍵の操作部の前端を、前記第２の鍵の操作部の前端よりも後方に位置させたことを特徴とする電子楽器の鍵盤装置。
【請求項３】
請求項１又は２に記載の電子楽器の鍵盤装置において、
前記第１の鍵の稜線を含む平面と前記第１の鍵の鍵支点部との距離を、前記第２の鍵の稜線を含む平面と前記第２の鍵の鍵支点部との距離と同一にしたことを特徴とする電子楽器の鍵盤装置。
【請求項４】
請求項１乃至３のうちのいずれか１つに記載の電子楽器の鍵盤装置において、
前記第１及び第２の鍵の鍵支点部の上下方向の位置を同一としたことを特徴とする電子楽器の鍵盤装置。
【請求項５】
請求項１乃至４に記載の電子楽器の鍵盤装置において、
前記第１の鍵及び前記第２の鍵は、隣接する白鍵であって、
前記第１の鍵、前記第２の鍵、及び前記第１の鍵と前記第２の鍵との間に位置する黒鍵の離鍵状態において、前記黒鍵の稜線が、前記第１の鍵の上面と前記第２の鍵の上面の間に位置していることを特徴とする電子楽器の鍵盤装置。
【請求項６】
請求項１乃至４に記載の電子楽器の鍵盤装置において、
前記第１の鍵及び前記第２の鍵は、隣接する白鍵であって、
前記第１の鍵、前記第２の鍵、及び前記第１の鍵と前記第２の鍵のとの間に位置する黒鍵が押鍵されて、前記第１の鍵、前記第２の鍵及び前記黒鍵の揺動が規制された状態において、前記黒鍵の稜線が、前記第１の鍵の上面及び前記第２の鍵の上面よりも下方に位置していることを特徴とする電子楽器の鍵盤装置。
【発明の詳細な説明】
【技術分野】
【０００１】
本発明は、電子オルガン、電子ピアノなどの電子楽器の鍵盤装置に関する。
【背景技術】
【０００２】
従来から、例えば、下記特許文献１に示されているように、アコースティックピアノの鍵タッチ感（押離鍵操作に対する反力）を模擬するために、割り当てられた音高が高い鍵ほど、鍵の前端の鍵タッチ感を軽くした電子楽器の鍵盤装置は知られている。この鍵盤装置においては、鍵にそれぞれ係合して揺動し、それぞれの鍵の押離鍵操作に対する反力を付与する複数のハンマーを備えている。この複数のハンマーは、共通部品である。そして、低音部の鍵から高音部の鍵に向かうに従って、後端部に設けられた鍵の回動支点から鍵の前端までの長さを徐々に長くしている。また、低音部から高音部へ向かうに従って、ハンマーの回動支点の位置を徐々に後方へずらして、鍵の回動支点から、ハンマーと鍵との係合位置までの距離を全ての鍵について同一にしている。
【先行技術文献】
【特許文献】
【０００３】
【特許文献１】特許３０７４７９４号公報
【発明の概要】
【０００４】
上記従来の鍵盤装置においては、鍵の揺動を規制するストッパを備えていて、鍵の押鍵深さの最大値が全ての鍵について同じ深さになっている。しかし、ハンマーの回動支点が前後方向にずれているため、割り当てられた音高ごとに、ハンマーの回動角度の範囲が異なる。そのため、ハンマーの揺動によって押されるゴムスイッチの位置及び特性を割り当てられた音高ごとに異ならせておく必要があった。また、離鍵状態及び押鍵状態における各鍵の前端の高さ、各鍵の傾斜角度などを共通にしてアコースティックピアノの外観を模擬するためには、鍵の揺動を規制するストッパの位置及び厚さなどを割り当てられた音高ごとに異ならせておく必要があった。したがって、部品の種類が多く、鍵盤装置の生産性が低かった。
【０００５】
本発明は上記問題を解決するためになされたものであり、その目的は、各鍵の支点の位置を前後方向に異ならせてアコースティックピアノの鍵タッチ感及び外観を模擬した鍵盤装置のコストを削減するとともに、生産性を向上させることにある。なお、下記本発明の各構成要件の記載においては、本発明の理解を容易にするために、実施形態の対応箇所の符号を括弧内に記載しているが、本発明の各構成要件は、実施形態の符号によって示された対応箇所の構成に限定解釈されるべきものではない。
【０００６】
前記目的を達成するため、本発明の特徴は、音高がそれぞれ割り当てられていて、演奏者の押離鍵操作によって前端が上下方向に揺動するように鍵支点部（Ｋｗ，Ｋｂ）にてそれぞれ支持され、側面と上面との交差部にて前後方向に延びる稜線が形成されている複数の白鍵、及び下側の側面と前記下側の側面に対して内側に傾斜した上側の側面との交差部にて前後方向に延びる稜線が形成されている複数の黒鍵であって、前記押離鍵操作される操作部と、操作部の前端部にて下方へ延設された駆動部（１１ｗ１，１１ｂ１）をそれぞれ有していて、操作部の前端から鍵支点部までの距離を互いに異ならせた複数の白鍵及び複数の黒鍵（１１ｗ，１１ｂ）と、複数の白鍵及び複数の黒鍵の駆動部に係合する係合部をそれぞれ有していて、複数の白鍵及び複数の黒鍵の揺動に連動して揺動するようにハンマー支点部（Ｈｗ，Ｈｂ）にてそれぞれ支持された複数のハンマー（１６ｗ，１６ｂ）と、複数の白鍵及び複数の黒鍵の並び方向に延設されていて、複数のハンマーの揺動を規制して、複数の白鍵及び複数の黒鍵の揺動範囲を規定する規制部材（２０，２１）とを備えた鍵盤装置において、複数の白鍵及び複数の黒鍵のうちの第１の鍵及び前記距離が第１の鍵の前記距離よりも長い第２の鍵であって、白鍵同士又は黒鍵同士である第１の鍵及び第２の鍵がそれぞれ所定の揺動角度にあるとき、第１の鍵の操作部の前端の上下方向及び前後方向の位置が第２の鍵の操作部の前端の上下方向及び前後方向の位置と共通であり、かつ第１の鍵の上面が第２の鍵の上面と同一面内にあるように、第１の鍵の鍵支点部及び第１の鍵の操作部の前端を含む平面と、第１の鍵の上面との位置関係を設定したことにある。なお、規制部材によってハンマーを制動する制動力が、鍵とハンマーとの係合部を介して伝達されている状態においては、実質的にハンマーの規制部材によって、鍵の揺動が規制されている状態とみなす。
【０００７】
この場合、第１の鍵の鍵支点部を、第２の鍵が離鍵されている状態における第２の鍵の鍵支点部と第２の鍵の前端とを含む基準平面（Ｓ１，Ｓ２）よりも下方に設け、第１の鍵及び第２の鍵が離鍵されているとき、第１の鍵の操作部の前端を、第２の鍵の操作部の前端よりも後方に位置させるとよい。
【０００８】
また、この場合、第１の鍵及び第２の鍵は、隣接する白鍵であって、第１の鍵、第２の鍵、及び第１の鍵と第２の鍵との間に位置する黒鍵の離鍵状態において、黒鍵の稜線が、第１の鍵の上面と第２の鍵の上面の間に位置しているとよい。
【０００９】
また、この場合、第１の鍵及び第２の鍵は、隣接する白鍵であって、第１の鍵、第２の鍵、及び第１の鍵と第２の鍵のとの間に位置する黒鍵が押鍵されて、第１の鍵、第２の鍵及び黒鍵の揺動が規制された状態において、黒鍵の稜線が、第１の鍵の上面及び第２の鍵の上面よりも下方に位置しているとよい。なお、上記の揺動が規制された状態とは、例えば、白鍵の前端部と黒鍵の前端部に同一の荷重を印加して、鍵の揺動が規制されている状態である。また、本発明には、黒鍵の稜線のうちの前端側の一部分が、第１の鍵の上面及び第２の鍵の上面よりも下方に位置している場合も含まれる。
【００１０】
上記のように構成した鍵盤装置によれば、離鍵状態及び押鍵状態における鍵の前端の高さを鍵ごとに調整することなく、外観をアコースティックピアノの鍵盤の外観に近づけることができる。したがって、鍵ごとに鍵の前端の高さを調整する場合に比べて、部品点数を削減して、鍵盤装置のコストを削減できる。とくに、複数の白鍵及び黒鍵が押鍵されて、これらの鍵の揺動が規制されたとき、白鍵の上面及び黒鍵の上面がそれぞれ同一平面上に位置するようにすれば、アコースティックピアノの押鍵状態の外観を模擬することができる。なお、揺動角度とは、離鍵状態を基準とした鍵の稜線を含む平面の角度である。また、駆動部が延設される鍵の操作部の前端部とは、鍵が揺動したとき、鍵の前端が通過する領域と、駆動部とハンマーとの係合部が通過する領域のうちの少なくとも一部が平面視において前後方向に重なるような領域である。
【００１１】
また、本発明の他の特徴は、第１の鍵の稜線を含む平面と第１の鍵の鍵支点部との距離を、第２の鍵の稜線を含む平面と第２の鍵の鍵支点部との距離と同一にしたことにある。この場合、第１及び第２の鍵の鍵支点部の上下方向の位置を同一にするとよい。これによれば、鍵の長さ以外に関する部位を出来るだけ共通化することができる。また、鍵を支持する支持部材（フレーム）の設計が簡単である、また、支持部材を加工し易く、精度を向上させることができる。さらに、第１の鍵の稜線を含む平面と第１の鍵の鍵支点部との距離を、第２の鍵の稜線を含む平面と第２の鍵の鍵支点部との距離と同一にし、かつ第１及び第２の鍵の鍵支点部の上下方向の位置を同一にすれば、押鍵状態において、第１及び第２の鍵の上面を同一の水平面上に位置させて、アコースティックピアノの鍵盤の外観を模擬できる。
【図面の簡単な説明】
【００１２】
【図１】本発明の一実施形態に係る鍵盤装置の平面図である。
【図２】図１の鍵盤装置の白鍵に関する構成を示す右側面図である。
【図３】図１の鍵盤装置の黒鍵に関する構成を示す右側面図である。
【図４】鍵の前端の高さを説明する正面図である。
【図５】白鍵の上面の傾斜角度を説明する側面図である。
【図６】黒鍵の上面の傾斜角度を説明する側面図である。
【図７】音高と質量体の質量との関係を示す特性曲線図である。
【図８】音高と鍵タッチとの関係を示す特性曲線図である。
【発明を実施するための形態】
【００１３】
以下、本発明の一実施形態について図面を用いて説明する。以下の説明では、演奏者に近い側を「前側」とし、演奏者から遠い側を「後側」とする。また、高音部側を「右側」とし、低音部側を「左側」とする。
【００１４】
この鍵盤装置は、図１乃至図３に示すように、複数の白鍵１１ｗ及び複数の黒鍵１１ｂを有している。この複数の白鍵１１ｗ及び複数の黒鍵１１ｂには、互いに異なる音高がそれぞれ割り当てられている。本実施形態においては、白鍵１１ｗには、「Ｃ３」、「Ｄ３」・・・「Ｃ６」のうちのいずれか1つの音高がそれぞれ割り当てられており、黒鍵１１ｂには、「Ｃ＃３」、「Ｄ＃３」・・・「Ｂ＃５」のうちのいずれか1つの音高がそれぞれ割り当てられている。白鍵１１ｗ及び黒鍵１１ｂは、それぞれ合成樹脂によって長尺状に一体成型されている。低音部の白鍵１１ｗから高音部の白鍵１１ｗに向かうに従って、白鍵１１ｗの長さを徐々に短くし、低音部の黒鍵１１ｂから高音部の黒鍵１１ｂに向かうに従って、黒鍵１１ｂの長さを徐々に短くしている。なお、黒鍵１１ｂの後端の位置は、隣り合う白鍵１１ｗの後端よりも後方に位置している。
【００１５】
割り当てられた音高が異なる白鍵１１ｗは、前後方向の長さが異なっているが、他の構成は同様である。また、割り当てられた音高が異なる黒鍵１１ｂは、前後方向の長さが異なっているが、他の構成は同様である。白鍵１１ｗは、黒鍵１１ｂに比べて、上下方向の幅が小さく、左右方向の幅が大きい。白鍵１１ｗ及び黒鍵１１ｂは、前後方向に延設された薄肉の上壁及び上壁の左右端からそれぞれ下方へ延設された薄肉の側壁を有し、下方に開放した中空状に形成されている。
【００１６】
また、白鍵１１ｗ及び黒鍵１１ｂの側壁の後部には、それぞれ対向する貫通孔Ｋｗ及び貫通孔Ｋｂが設けられている。貫通孔Ｋｗ及び貫通孔Ｋｂから、それぞれの鍵の後端までの距離は、全ての鍵について同一である。そして、白鍵１１ｗ及び黒鍵１１ｂは、貫通孔Ｋｗ及び貫通孔Ｋｂにて、後述する鍵フレーム１２の鍵支持部１３ｗ及び鍵支持部１３ｂによって支持されている。なお、白鍵１１ｗの後端部は、この鍵盤装置が電子楽器に組み付けられたとき、電子楽器の筐体の内側に入り込んでいる。この筐体の内側に入り込む部分よりも前方の部分を白鍵１１ｗの見え掛り部と言う。また、白鍵１１ｗの側面と上面とが交差する部分には稜線が形成されている。また、黒鍵１１ｂが押鍵されておらず、かつ隣り合う白鍵１１ｗが押鍵されていない状態において、前記黒鍵１１ｂは、前記白鍵１１ｗの上面よりも上方に突出した部分を有する。この突出した部分を黒鍵１１ｂの見え掛り部という。また、黒鍵１１ｂの見え掛り部よりも下方の部分を本体部という。演奏者は、白鍵１１ｗ及び黒鍵１１ｂの見え掛り部を押離鍵操作する。すなわち、見え掛り部が本発明の操作部に相当する。黒鍵１１ｂの見え掛り部は、上端部ほど左右方向の幅が狭くなっており、本体部の左右方向の幅は共通である。黒鍵１１ｂの見え掛り部の下端と、前記見え掛り部の下端よりも下方の部分との境界には、稜線が形成されている。
【００１７】
鍵フレーム１２は、前後方向及び左右方向に延設された上板部１２ａを有する。上板部１２ａの低音部側の前端と高音部側の前端の位置は同一であるが、低音部側の後端は、高音部側の後端よりも後方に位置している。また、鍵フレーム１２は、上板部１２ａの前端から下方へ垂直に延設された前板部１２ｂ、前板部１２ｂの下端から前方へ水平に延設された底板部１２ｃ、底板部１２ｃの前端から上方へ垂直に延設された前板部１２ｄを有する。また、鍵フレーム１２は、上板部１２ａの後端から下方へ垂直に延設された後板部１２ｅ及び後板部１２ｅの下端から後方へ水平に延設された底板部１２ｆを有する。底板部１２ｃの下面の高さと底板部１２ｆの下面の高さは同じであり、底板部１２ｃの下面と底板部１２ｆの下面を電子楽器のフレームＦＲに当接させて固定することにより、この鍵盤装置が、電子楽器のフレームＦＲに支持される。上記の鍵支持部１３ｗ及び鍵支持部１３ｂは、上板部１２ａの上面から上方へ突出するように形成されている。鍵支持部１３ｂは、隣り合う鍵支持部１３ｗよりも後方に位置している。鍵支持部１３ｗ及び鍵支持部１３ｂは、それぞれ対向する２枚の板状に形成されていて、内側に対向する突出部１３ｗ１及び突出部１３ｂ１をそれぞれ備えている。突出部１３ｗ１及び突出部１３ｂ１は、貫通孔Ｋｗ及び貫通孔Ｋｂに嵌合している。これにより、白鍵１１ｗ及び黒鍵１１ｂは、突出部１３ｗ１及び突出部１３ｂ１回りに回転可能にそれぞれ支持され、貫通孔Ｋｗ及び貫通孔Ｋｂ並びに突出部１３ｗ１及び突出部１３ｂ１の中心軸を揺動中心として、前端部が上下方向にそれぞれ揺動可能となっている。白鍵１１ｗの見え掛り部の上面（すなわち、白鍵１１ｗの左右の稜線を含む平面）からその揺動中心までの上下方向の距離は、全ての白鍵１１ｗについて共通である。また、黒鍵１１ｂの操作部の上面（すなわち、黒鍵１１ｂの左右の稜線を含む平面）からその揺動中心までの上下方向の距離は、すべての黒鍵１１ｂについて共通である。
【００１８】
また、白鍵１１ｗの見え掛り部の前端部から下方へ向かって駆動部１１ｗ１が延設されている。駆動部１１ｗ１は、上下に延設された薄肉の前壁及び前壁の左右端からそれぞれ後方へ延設された薄肉の側壁を有し、後方に開放した中空状に形成されている。駆動部１１ｗ１の下端は下端壁により閉じている。駆動部１１ｗ１の上下方向の長さは、全ての白鍵１１ｗについて共通である。一方、黒鍵１１ｂも白鍵１１ｗと同様の駆動部１１ｂ１を有する。駆動部１１ｂ１の上下方向の長さも、すべての黒鍵１１ｂについて共通である。
【００１９】
複数の白鍵１１ｗの離鍵状態において、前記複数の白鍵１１ｗの駆動部１１ｗ１の前後方向の位置は同一であり、それらの駆動部１１ｗ１の下端壁の上下方向の位置も同一である。また、複数の黒鍵１１ｂの離鍵状態において、前記複数の黒鍵１１ｂの駆動部１１ｂ１の前後方向の位置は同一であり、それらの駆動部１１ｂ１の下端壁の上下方向の位置も同一である。すなわち、駆動部１１ｗ１及び駆動部１１ｂ１は、左右方向にそれぞれ並設されている。
【００２０】
上記のように、全ての白鍵１１ｗの駆動部１１ｗ１の上下方向の長さが同一であり、かつ離鍵状態における駆動部１１ｗ１の下端の上下方向及び前後方向の位置が同一なので、白鍵１１ｗの離鍵状態においては、図４に示すように、見え掛り部の前端の上下方向の位置がほぼ同一である。そして、図５に示すように、離鍵状態において、白鍵１１ｗは、前端よりも後端が低くなるように傾斜しており、かつ前後方向の長さが短い白鍵１１ｗほど、前端が後方に位置している。本実施形態においては、低音部の白鍵１１ｗから高音部の白鍵１１ｗに向かうに従って前後方向の長さを徐々に短くしているので、高音部の白鍵１１ｗほど、その見え掛り部の前端が後方に位置している。また、隣接する２つの白鍵１１ｗ及び前記２つの白鍵１１ｗの間に位置する黒鍵１１ｂが離鍵されている状態において、前記黒鍵１１ｂの稜線Ｒは、前記２つの白鍵１１ｗのうちの低音部側の白鍵１１ｗの上面よりも下方に位置しており、かつ前記２つの白鍵１１ｗの内の高音部側の白鍵１１ｗの上面よりも上方に位置している。
【００２１】
例えば、割り当てられた音高が「Ｃ６」である白鍵１１ｗ（Ｃ６）及び割り当てられた音高が「Ｂ５」である白鍵１１ｗ（Ｂ５）の離鍵状態において、白鍵１１ｗ（Ｃ６）の前端は、白鍵１１ｗ（Ｂ５）の前端よりも若干後方に位置する（図５参照）。なお、白鍵１１ｗ（Ｃ６）の揺動中心は、白鍵１１ｗ（Ｂ５）の揺動中心及び白鍵１１ｗ（Ｂ５）の見え掛り部の前端を含む平面Ｓ１よりも下方に位置している。また、図５においては、白鍵１１ｗ（Ｂ５）及び白鍵１１ｗ（Ｃ６）が離鍵状態及び押鍵状態にあるときの姿勢を表わしている。すなわち、離鍵状態における白鍵１１ｗ（Ｂ５）を太い破線で表し、押鍵状態にある白鍵１１ｗ（Ｂ５）を細い破線で表している。また、離鍵状態における白鍵１１ｗ（Ｃ６）を太い実線で表し、押鍵状態にある白鍵１１ｗ（Ｃ６）を細い実線で表している。また、同図においては、前後方向の長さの異なる白鍵１１ｗの見え掛り部の前端の前後方向の位置の違いを説明するために、白鍵１１ｗ（Ｃ６）と白鍵１１ｗ（Ｂ５）の長さを大きく異ならせているが、実際には隣り合う鍵の長さの違いは僅かなので、白鍵１１ｗの高さの違いも僅かである。また、図５においては、図面が煩雑になるのを避けるために、鍵の形状を簡略化している。
【００２２】
上記のように、離鍵状態においては、前後方向の長さが短い白鍵１１ｗほど、傾斜角度が大きい。そして、複数の白鍵１１ｗが押鍵されて、それらの離鍵状態からの揺動角度が所定の同一の揺動角度に達したとき（すなわち、後述するように、ハンマー１３ｗが緩衝材２０ｂに当接して、白鍵１１ｗの揺動が規制されたとき）、前記複数の白鍵１１ｗの上面が水平になるように、各白鍵１１ｗにおける、揺動中心と見え掛り部の前端とを含む平面と、上面との位置関係がそれぞれ設定されている。言い換えれば、各白鍵１１ｗにおける、揺動中心と見え掛り部の前端とを含む平面に対する上面の角度がそれぞれ設定されている。そして、前記複数の白鍵１１ｗの上面が水平である状態において、前記複数の白鍵１１ｗの見え掛り部の前端の上下方向及び前後方向の位置が共通である。
【００２３】
また、上記のように、全ての黒鍵１１ｂの駆動部１１ｂ１の上下方向の長さが同一であり、かつ離鍵状態における駆動部１１ｂ１の下端の上下方向及び前後方向の位置が同一なので、黒鍵１１ｂの離鍵状態においては、見え掛り部の前端の上下方向の位置がほぼ同一である。そして、離鍵状態において、黒鍵１１ｂは、前端よりも後端が低くなるように傾斜しており、前後方向の長さが短い鍵ほど傾斜角度が大きい。そして、前後方向の長さが短い黒鍵１１ｂほど、見え掛り部の前端が後方に位置している。本実施形態においては、低音部の黒鍵１１ｂから高音部の黒鍵１１ｂに向かうに従って前後方向の長さを徐々に短くしているので、高音部の白鍵１１ｗほど、その見え掛り部の前端が後方に位置している。例えば、図６に示すように、割り当てられた音高が「Ｇ＃５」である黒鍵１１ｂ（Ｇ＃５）及び割り当てられた音高が「Ａ＃５」である黒鍵１１ｂ（Ａ＃５）の離鍵状態において、黒鍵１１ｂ（Ａ＃５）の見え掛り部の前端は、黒鍵１１ｂ（Ｇ＃５）の見え掛り部の前端よりも低い。なお、黒鍵１１ｂ（Ａ＃５）の揺動中心は、黒鍵１１ｂ（Ｇ＃５）の揺動中心及び黒鍵１１ｂ（Ｇ＃５）の見え掛り部の前端を含む平面Ｓ２よりも下方に位置している。また、図６においては、黒鍵１１ｂ（Ｇ＃５）及び黒鍵１１ｂ（Ａ＃５）が離鍵状態及び押鍵状態にあるときの姿勢を表わしている。すなわち、離鍵状態における黒鍵１１ｂ（Ｇ＃５）を太い破線で表し、押鍵状態にある黒鍵１１ｂ（Ａ＃５）を細い破線で表している。また、離鍵状態における黒鍵１１ｂ（Ｇ＃５）を太い実線で表し、押鍵状態にある黒鍵１１ｂ（Ａ＃５）を細い実線で表している。また、同図においては、前後方向の長さの異なる黒鍵１１ｂの見え掛り部の前端の高さの違いを説明するために、黒鍵１１ｂ（Ｇ＃５）と黒鍵１１ｂ（Ａ＃５）の長さを大きく異ならせているが、実際には隣り合う鍵の長さの違いは僅かなので、黒鍵１１ｂの高さの違いも僅かである。また、同図においては、図面が煩雑になるのを避けるために、鍵の形状を簡略化している。
【００２４】
そして、複数の黒鍵１１ｂが押鍵されて、それらの離鍵状態からの揺動角度が所定の同一の揺動角度に達したとき（すなわち、後述するように、ハンマー１３ｂが緩衝材２１ｂに当接して、黒鍵１１ｂの揺動が規制されたとき）、前記複数の黒鍵１１ｂの上面が水平になるように、各黒鍵１１ｂにおける、揺動中心と見え掛り部の前端とを含む平面と、上面との位置関係がそれぞれ設定されている。言い換えれば、各黒鍵１１ｂにおける、揺動中心と見え掛り部の前端とを含む平面に対する上面の角度がそれぞれ設定されている。そして、前記複数の黒鍵１１ｂの上面が水平である状態において、前記複数の黒鍵１１ｂの見え掛り部の前端の上下方向及び前後方向の位置が共通である。
【００２５】
前板部１２ｂと前板部１２ｄとの間に設けられた上方に開口した開口部内にて、駆動部１１ｗ１及び駆動部１１ｂ１の下端部が、ハンマー１６ｗ及びハンマー１６ｂの前端部にそれぞれ係合している。離鍵状態において、駆動部１１ｗ１及び駆動部１１ｂ１の下端部と、ハンマー１６ｗ及びハンマー１６ｂの前端部との当接部Ｐｗ１及び当接部Ｐｂ１は、左右方向（鍵の並び方向に平行な方向）に延びる同一直線上に位置している。
【００２６】
ハンマー１６ｗは、合成樹脂製の基部１６ｗ１と、金属製の連結棒１６ｗ２及び質量体１６ｗ３とからなる。ハンマー１６ｂは、ハンマー１６ｗと同様に、基部１６ｂ１、連結棒１６ｂ２及び質量体１６ｂ３からなる。基部１６ｗ１及び基部１６ｂ１は、板状の部材であって、右側面から左側面に貫通する貫通孔Ｈｗ及び貫通孔Ｈｂをそれぞれ有する。基部１６ｗ１は、基部１６ｂ１よりも前後方向に長い。上板部１２ａの下面には、下方に突出するようにして、ハンマー支持部１８ｗ及びハンマー支持部１８ｂが形成されている。ハンマー支持部１８ｗ及びハンマー支持部１８ｂは、それぞれ対向する２枚の板状に形成されていて、それぞれ内側に対向する突出部１８ｗ１及び突出部１８ｂ１を備えている。前記突出部１８ｗ１及び突出部１８ｂ１は、貫通孔Ｈｗ及び貫通孔Ｈｂにそれぞれ嵌合している。これにより、基部１６ｗ１及び基部１６ｂ１は、突出部１８ｗ１及び突出部１８ｂ１回りに回転可能に支持されている。すなわち、ハンマー１６ｗ及びハンマー１６ｂは、前端部及び後端部が上下方向に揺動可能に支持されている。ハンマー支持部１８ｗとハンマー支持部１８ｂの前後方向及び上下方向の位置は全てのハンマーについて同一である。すなわち、複数のハンマー支持部１８ｗ及びハンマー支持部１８ｂが、左右方向に並設されていて、ハンマー１６ｗ及びハンマー１６ｂの揺動中心の前後方向及び上下方向の位置は、全てのハンマー１６ｗ及びハンマー１６ｂについて同一である。言い換えれば、ハンマー１６ｗ及びハンマー１６ｂの揺動中心は、左右方向に延びる同一直線上に位置している。
【００２７】
また、基部１６ｗ１は、前端部に上下一対の脚部Ｆｗ１及び脚部Ｆｗ２を備え、上側に位置する脚部Ｆｗ１は下側に位置する脚部Ｆｗ２より短く形成されている。基部１６ｂ１も、基部１６ｗ１と同様に、前端部に上下一対の脚部Ｆｂ１及び脚部Ｆｂ２を備えている。前板部１２ｂには、ハンマー１６ｗ及びハンマー１６ｂごとに、上下方向に長いスリット状の開口部１２ｂ１が設けられている。各ハンマー１６ｗ及びハンマー１６ｂの前端部は、開口部１２ｂ１を通って、前板部１２ｂよりも前方に突出している。脚部Ｆｗ１と脚部Ｆｗ２の間には、駆動部１１ｗ１の下端壁が侵入しており、脚部Ｆｂ１と脚部Ｆｂ２の間には、駆動部１１ｂ１の下端壁が侵入している。脚部Ｆｗ１及び脚部Ｆｂ１は、それぞれ、駆動部１１ｗ１及び駆動部１１ｂ１の下端壁と、駆動部１１ｗ１及び駆動部１１ｂ１内であって、それぞれの下端壁との間に隙間を形成する中間壁との間に侵入している。駆動部１１ｗ１及び駆動部１１ｂ１の下端壁には、ゴム、ウレタン、フエルトなどの衝撃吸収材が嵌め込まれて固着されている。この衝撃吸収材は、駆動部１１ｗ１と脚部Ｆｗ２の上面との衝突、駆動部１１ｂ１の下端と脚部Ｆｂ２の上面との衝突、駆動部１１ｗ１の下端と脚部Ｆｗ１の下面との衝突、及び駆動部１１ｂ１の下端と脚部Ｆｂ１の下面との衝突による衝撃をそれぞれ緩和している。
【００２８】
基部１６ｗ１及び基部１６ｂ１の後端部に、連結棒１６ｗ２及び連結棒１６ｂ２の前端部がそれぞれ組み付けられている。連結棒１６ｗ２及び連結棒１６ｂ２は、それぞれ後方へ延設されている。連結棒１６ｗ２と連結棒１６ｂ２の後端の前後方向の位置は同一である。そして、連結棒１６ｗ２及び連結棒１６ｂ２の後端には、次に説明する質量体１６ｗ３及び質量体１６ｂ３が組み付けられている。
【００２９】
上記のように、割り当てられた音高によって、鍵の支点の位置が異なる。したがって、白鍵１１ｗの揺動中心から脚部Ｆｗ２における駆動部１１ｗ１との当接部Ｐｗ１までの距離は、割り当てられた音高によって異なる。また、黒鍵１１ｂの揺動中心から脚部Ｆｂ２における駆動部１１ｂ１との当接部Ｐｂ１までの距離も、割り当てられた音高によって異なる。したがって、全てのハンマーについて質量体の質量が同一であれば、てこの原理によって、押離鍵操作位置Ｗ０，Ｂ０においては、低音部よりも中音部の鍵タッチ感が重く、中音部よりも高音部の鍵タッチ感がさらに重い。
【００３０】
また、この場合、各音域における白鍵１１ｗと黒鍵１１ｂの鍵タッチ感が統一されない。すなわち、鍵１１ｂの鍵タッチ感は隣り合う２つの白鍵１１ｗの鍵タッチ感に比べて重い。そこで、図７に示すように、質量体１６ｗ３及び質量体１６ｂ３の質量を鍵ごとに調整している。すなわち、音高順に質量体１６ｗ３及び質量体１６ｂ３の質量を表した特性曲線図において、質量体１６ｗ３の特性曲線と質量体１６ｂ３の特性曲線が右下がりの平行な曲線であって、質量体１６ｂ３の特性曲線が質量体１６ｗ３の特性曲線の下側に位置するように、質量体１６ｗ３及び質量体１６ｂ３の質量を調整している。これにより、図８に一点鎖線で示すように、押離鍵操作位置Ｗ０，Ｂ０における鍵タッチ感を、低音から高音へ向かうに従って徐々に軽くしている。したがって、図８に破線で示すように、押離鍵操作位置Ｗ０，Ｂ０からそれぞれ距離ｄだけ後方に位置する押離鍵操作位置Ｗ１，Ｂ１における鍵タッチ感も、低音から高音へ向かうに従って徐々に軽くなっている。ただし、割り当てられた音高が高い鍵ほど鍵の長さが短いので、押離鍵操作位置Ｗ０，Ｂ０における鍵タッチ感と、押離鍵操作位置Ｗ１，Ｂ１における鍵タッチ感との差は、低音から高音に向かうに従って大きくなる。すなわち、押離鍵操作位置の前後方向の違いによる鍵タッチ感の違いは、低音部において小さく、中音部において中程度であり、高音部において大きい。
【００３１】
白鍵１１ｗ及び黒鍵１１ｂの離鍵時には、ハンマー１６ｗ及びハンマーの１６ｂの自重により、ハンマー１６ｗ及びハンマー１６ｂの前端部がそれぞれ上方へ変位する。このとき、脚部Ｆｗ２及び脚部Ｆｂ２により駆動部１１ｗ１及び駆動部１１ｂ１がそれぞれ上方へ付勢され、白鍵１１ｗ及び黒鍵１１ｂの前端部はそれぞれ上方へ変位する。一方、白鍵１１ｗ及び黒鍵１１ｂの押鍵時には、駆動部１１ｗ１及び駆動部１１ｂ１の下端面が脚部Ｆｗ２及び脚部Ｆｂ２の上面をそれぞれ押圧し、ハンマー１６ｗ及びハンマー１６ｂの前端部がそれぞれ下方へ変位する。
【００３２】
鍵フレーム１２には、押鍵時にハンマー１６ｗ及びハンマー１６ｂの質量体１６ｗ１及び質量体１６ｂ１の上面に当接して、ハンマー１６ｗ及びハンマー１６ｂの後端部の上方への変位を規制することにより、白鍵１１ｗ及び黒鍵１１ｂの前端部の下方への変位を規制する下限ストッパ２０が設けられている。下限ストッパ２０は、ストッパレール２０ａ及び緩衝材２０ｂからなる。ストッパレール２０ａは、上板部１２ａの中間部の下面から下方へ突出していて、左右方向に延設されていて、ハンマー１６ｗ及びハンマー１６ｂの質量体１６ｗ３及び質量体１６ｂ３の上方に位置している。また、ストッパレール２０ａの各ハンマーとの当接部における前板部１２ａの下面からの突出量は左右方向に一定である。そして、ストッパレール２０ａの下端面に緩衝材２０ｂが固着されている。緩衝材２０ｂは、ゴム、フエルトなどの衝撃吸収材によって構成した長尺状の部材である。緩衝材２０ｂは、一端から他端に至るまで断面形状が同一である。
【００３３】
また、フレームＦＲの中間部には、離鍵時に、ハンマー１６ｗ及びハンマー１６ｂの質量体１６ｗ１及び質量体１６ｂ１の下面に当接して、ハンマー１６ｗ及びハンマー１６ｂの後端部の下方への変位を規制することにより、白鍵１１ｗ及び黒鍵１１ｂの前端部の上方への変位を規制する上限ストッパ２１が設けられている。上限ストッパ２１は、下限ストッパ２０と同様に、ストッパレール２１ａ及び緩衝材２１ｂからなる。すなわち、ストッパレール２１ａも左右方向に延設されていて、フレームＦＲからの突出量は、左右方向に一定である。そして、ストッパレール２１ａの上面に緩衝材２１ｂが固着されている。緩衝材２１ｂも、緩衝材２０ｂと同様に、一端から他端に至るまで断面形状が同一である。また、ストッパレール２０ａ及びストッパレール２１ａは、左右方向に連続的に延設されていてもよいし、断続的に延設されていてもよい。また、ストッパレール２０ａ及びストッパレール２１ａは、それぞれ上板部１２ａ及びフレームＦＲと一体的に設けられていてもよいし、別部品として構成されていて、それぞれ上板部１２ａ及びフレームＦＲに組み付けられるようにしてもよい。
【００３４】
白鍵１１ｗ及び前記白鍵１１ｗに隣接する黒鍵１１ｂが同一の押鍵力でそれぞれ押鍵されて、それらの揺動がそれぞれ規制された状態において、黒鍵１１ｂの稜線Ｒは、前記白鍵１１ｗの上面よりも下方に位置する。なお、緩衝材２０ｂ及び緩衝材２１ｂは、弾性を有する。したがって、押鍵時にハンマーが緩衝材に当接した後、さらに鍵を下方へ押すと、緩衝材が弾性変形するので、鍵の前端は下方へ僅かに変位する。
【００３５】
また、白鍵１１ｗ及び黒鍵１１ｂの中間部の下面には、スイッチ駆動部ＡＣ１が設けられている。スイッチ駆動部ＡＣ１は、白鍵１１ｗ及び黒鍵１１ｂの内部にて上下方向に延設された板状の部分であり、スイッチ駆動部ＡＣ１の下端面が、スイッチＳＷ１の上面に当接している。スイッチＳＷ１は、鍵ごとに設けられ、鍵によって押圧されて、各鍵の押離鍵状態を検出する。すなわち、スイッチＳＷ１は、鍵によって押圧されると、ゴム製の本体部が変形して、回路基板２３上に形成された２つの接点を短絡することにより、ＯＦＦ状態からＯＮ状態に変化する。回路基板２３は、左右方向に延設されている。回路基板２３には、上面から下面に貫通した貫通孔が設けられている。この貫通孔は、上板部１２ａの上面に一体的に形成されたボス２４に対応している。この貫通孔にねじを通してボス２４にねじ込むことにより、回路基板２３が、鍵フレーム１２に固定される。各鍵にそれぞれ対応した複数のスイッチＳＷ１の前記本体部が、回路基板２３の上面に左右方向に並設されている。白鍵１１ｗ用のスイッチＳＷ１と黒鍵１１ｂ用のスイッチＳＷ１の前後方向の位置が同一である。白鍵１１ｗの前端からスイッチＳＷ１までの前後方向の距離Ｌｗ１が、最高音の白鍵１１ｗの前端から貫通孔Ｋｗまでの距離Ｌｗ２の３０％以内であり、かつ黒鍵１１ｂの見え掛り部の前端からスイッチＳＷ１までの前後方向の距離Ｌｂ１が、最高音の黒鍵１１ｂの見え掛り部の前端から貫通孔Ｋｂまでの距離Ｌｂ２の３０％以内である。なお、白鍵１１ｗ用のスイッチＳＷ１と黒鍵１１ｂ用のスイッチＳＷ１をそれぞれ左右方向に並設しておき、両者の前後方向の位置をずらしてもよい。
【００３６】
また、上板部１２ａの前端部の上面から上方に突出するようにして、白鍵１１ｗ及び黒鍵１１ｂの揺動をガイドするための鍵ガイド２５ｗ及び鍵ガイド２５ｂがそれぞれ形成されている。鍵ガイド２５ｗは、白鍵１１ｗに下方から侵入しており、押離鍵時に鍵ガイド２５ｗの側面と白鍵１１ｗの側壁の内側の面が摺接するようになっている。これにより、押離鍵時の白鍵１１ｗの左右方向の微少な変位を抑制している。また、鍵ガイド２５ｂは、黒鍵１１ｂに下方から侵入しており、押離鍵時に鍵ガイド２５ｂの側面と黒鍵１１ｂの側壁の内側の面が摺接するようになっている。これにより、押離鍵時の黒鍵１１ｂの左右方向の微少な変位を抑制している。
【００３７】
上記のように構成した鍵盤装置によれば、離鍵状態及び押鍵状態における鍵の前端の高さを鍵ごとに調整することなく、外観をアコースティックピアノの鍵盤の外観に近づけることができる。とくに、前記複数の白鍵１１ｗ及び黒鍵１１ｂのそれぞれの押鍵深さが最大であるとき、これらの白鍵１１ｗ及び黒鍵１１ｂの上面が水平であるので、アコースティックピアノの鍵の押鍵状態における外観を模擬できる。したがって、鍵ごとに鍵の前端の高さを調整する場合に比べて、部品点数を削減して、鍵盤装置のコストを削減できる。また、離鍵状態における白鍵１１ｗの前端の高さは、低音部の白鍵１１ｗから高音部の白鍵１１ｗに向かうに従って、離鍵状態における前端が徐々に後方に位置するようにし、低音部の黒鍵１１ｂから高音部の黒鍵１１ｂに向かうに従って、離鍵状態における前端が徐々に後方に位置するようにした。すなわち、離鍵状態において、隣接する白鍵１１ｗ同士及び隣接する黒鍵１１ｂ同士の前端の前後方向の位置の差は小さい。したがって、離鍵状態における外観に違和感を生じさせない。
【００３８】
また、白鍵１１ｗの見え掛り部の上面からその揺動中心までの距離は、全ての白鍵１１ｗについて共通であり、黒鍵１１ｂの本体部の上面からその揺動中心までの距離は、すべての黒鍵１１ｂについて共通である。したがって、例えば、白鍵１１ｗ及び黒鍵１１ｂの外形を成型加工した後の別工程において、貫通孔Ｋｗ，Ｋｂを設ける場合、この別工程を共通化して、鍵の生産性を向上させることができる。
【００３９】
また、ハンマー１６ｗにおける、質量体１６ｗ３を除く部分の部品を全てのハンマー１６ｗについて共通とした。また、ハンマー１６ｂにおける、質量体１６ｂ３を除く部分の部品を全てのハンマー１６ｂについて共通とした。したがって、部品の種類を削減できるので、鍵盤装置のコストを削減できる。また、全てのハンマーの揺動中心の前後方向及び上下方向の位置を同一とし、上限ストッパ２１及び下限ストッパ２０の前後方向及び上下方向の位置も全てのハンマーについて同一とした。したがって、上限ストッパ２１及び下限ストッパ２０を簡単に組み付けることができる。また、ハンマーごとにストッパを設ける場合に比べて、部品点数を削減でき、鍵盤装置のコストを削減できる。また、上記のように、全てのハンマーの揺動中心、上限ストッパ２１及び下限ストッパ２０の前後方向及び上下方向の位置を同一にしたことにより、全てのハンマーの揺動角度の範囲を同一とすることができる。
【００４０】
また、本実施形態においては、白鍵１１ｗを鍵フレーム１２に組み付ける際には、脚部Ｆｗ１と脚部Ｆｗ２の間に、駆動部１１ｗ１の下端壁を侵入させる必要がある。また、黒鍵１１ｂを鍵フレーム１２に組み付ける際には、脚部Ｆｂ１と脚部Ｆｂ２の間に、駆動部１１ｂ１の下端壁を侵入させる必要がある。本実施形態においては、離鍵状態における、当接部Ｐｗ１及び当接部Ｐｂ１の前後方向の位置及び上下方向の位置を全ての鍵及びハンマーについて同一としたので、複数の白鍵１１ｗ及び複数の黒鍵１１ｂの駆動部１１ｗ１及び駆動部１１ｂ１の下端壁を同時に脚部の間に侵入させ易い。すなわち、複数の鍵をまとめて組み付けることができるので、鍵を鍵フレーム１２に組み付ける作業の作業性を向上させることができる。
【００４１】
また、上記のように、全てのハンマーの揺動角度の範囲が同一であるので、白鍵１１ｗの見え掛り部の前端の揺動範囲は、全ての白鍵１１ｗについて同一である。また、黒鍵１１ｂの見え掛り部の前端の揺動範囲も、全ての黒鍵１１ｂについて同一である。本実施形態においては、距離Ｌｗ１及び距離Ｌｂ１を、距離Ｌｗ２及び距離Ｌｂ２に比べて十分に小さくした。したがって、演奏し易い。
【００４２】
また、各鍵にそれぞれ対応した複数のスイッチＳＷ１を左右方向に並設した。上記のように、全て白鍵１１ｗについて、鍵の前端の押鍵深さの最大値が同一であるので、白鍵１１ｗの前端に近い位置にて、スイッチＳＷ１を左右方向に並設しておけば、スイッチＳＷ１のＯＮ／ＯＦＦ状態が切り替わるときの押鍵深さもほぼ同一である。したがって、全ての白鍵１１ｗのスイッチＳＷ１の特性を同一とすることができる。また白鍵１１ｗのスイッチＳＷ１と同様に、全ての黒鍵１１ｂのスイッチＳＷ１の特性を同一とすることができる。すなわち、部品の種類を削減して、鍵盤装置のコストを削減できるだけでなく、この鍵盤装置が適用される電子楽器において、各白鍵１１ｗ及び各黒鍵１１ｂの押離鍵状態をそれぞれ同様の処理によって検出できる。また、複数のスイッチＳＷ１の接点部を含む回路基板２３を左右方向に延設したので、スイッチＳＷ１を鍵ごとに組み付ける場合に比べて、組み付け作業の作業性を向上させることができる。
【００４３】
さらに、本発明の実施にあたっては、上記実施形態に限定されるものではなく、本発明の目的を逸脱しない限りにおいて種々の変更が可能である。
【００４４】
例えば、スイッチＳＷ１に代えて、又は加えて、光センサ、磁気センサ、静電容量センサ、感圧センサなどを用いて、鍵の押離鍵状態を検出してもよい。
【００４５】
また、例えば、上記実施形態においては、ハンマー１６ｗ及びハンマー１６ｂの揺動中心をそれらの中間部に設けた。そして、白鍵１１ｗ及び黒鍵１１ｂとハンマー１６ｗ及びハンマー１６ｂとの係合部を、ハンマー１６ｗ及びハンマー１６ｂの前端部にそれぞれ設けた。しかし、各ハンマーの揺動中心及び係合部の位置は、上記実施形態に限られない。例えば、揺動中心をハンマー１６ｗ及びハンマー１６ｂの後端部にそれぞれ設けてもよい。そして、係合部をハンマー１６ｗ及びハンマー１６ｂの中間部に設け、ハンマー１６ｗ及びハンマー１６ｂの前端部に質量体１６ｗ３及び質量体１６ｂ３をそれぞれ設ければよい。この場合、離鍵時において、バネ、ゴムなどの弾性体によって、ハンマー１６ｗ及びハンマー１６ｂの前端部を上方へ付勢しておく。この場合も、各ハンマーの揺動中心及び係合部を左右方向に並設し、ハンマー１６ｗ及びハンマー１６ｂの揺動を規制するストッパを左右方向に延設すればよい。上記のように、ハンマー１６ｗ及びハンマー１６ｂの後端部を中心として、前端部が上下方向に揺動するように構成しても、上記実施形態と同様の効果が得られる。
【００４６】
また、例えば、上記実施形態及においては、質量体１６ｗ３及び質量体１６ｂ３を連結棒１６ｗ２及び連結棒１６ｂ２の後端に組み付けているが、質量体１６ｗ３及び質量体１６ｂ３を組み付けるのではなく、連結棒１６ｗ２及び連結棒１６ｂ２の先端を前側に折り返すことにより、ハンマー１６ｗ及びハンマー１６ｂの後端に質量を集中させるようにしてもよい。そして、折り返す部分の長さを調整することにより、ハンマー１６ｗ及びハンマー１６ｂの後端部の質量を調整すればよい。
【００４７】
また、上記実施形態及びその変形例においては、質量体１６ｗ３及び質量体１６ｂ３の質量を調整して、低音側の鍵から高音側の鍵に向かうに従って、鍵の前端の鍵タッチ感を徐々に軽くしたが、必ずしもこのように構成する必要はなく、各音域における鍵の前端の鍵タッチ感を同一とし、高音域に向かうに従って、音域ごとに段階的に鍵タッチ感が軽くなるようにしてもよい。また、一部の音域においてのみ、音高順に鍵タッチ感が軽くなるようにしてもよいし、全ての鍵について、鍵タッチ感を同一にしてもよい。
【００４８】
また、上記実施形態及びその変形例においては、低音部の白鍵１１ｗから高音部の白鍵１１ｗに向かうに従って、白鍵１１ｗの長さを徐々に短くし、低音部の黒鍵１１ｂから高音部の黒鍵１１ｂに向かうに従って、黒鍵１１ｂの長さを徐々に短くした。しかし、必ずしもこのように構成する必要はなく、複数の鍵において、揺動中心の位置を前後方向にずらしておき、それらの鍵に関する前記各部の位置を統一すればよい。例えば、全体の音域を複数の音域に分割し、前記分割した音域に属する鍵の長さを同一（すなわち、鍵の揺動中心の前後方向及び上下方向の位置を同一）としておき、前記分割した音域ごとに鍵の長さを異ならせてもよい。そして、前記分割した複数の音域の前記各部の位置を統一すればよい。これによっても、上記実施形態と同様の効果が得られる。
【００４９】
また、上記実施形態及びその変形例においては、白鍵１１ｗの見え掛り部の上面からその揺動中心までの距離は、全ての白鍵１１ｗについて共通である。また、黒鍵１１ｂの本体部の上面からその揺動中心までの距離は、すべての黒鍵１１ｂについて共通である。また、前記揺動中心の高さは、全ての鍵について共通である。しかし、白鍵１１ｗの見え掛り部の上面からその揺動中心までの距離、黒鍵１１ｂの本体部の上面からその揺動中心までの距離、及び前記揺動中心の高さは、鍵ごとに異なっていてもよい。すなわち、複数の白鍵１１ｗの揺動範囲内のいずれかの揺動位置にて、前記複数の白鍵１１ｗの見え掛り部の上面が同一平面上に位置するように、白鍵１１ｗの見え掛り部の上面からその揺動中心までの距離及び前記揺動中心の高さを設定すればよい。また、複数の黒鍵１１ｂの揺動範囲内のいずれかの揺動位置にて、前記複数の黒鍵１１ｂの見え掛り部の上面が同一平面上に位置するように、黒鍵１１ｂの見え掛り部の上面からその揺動中心までの距離及び前記揺動中心の高さを設定すればよい。
【００５０】
また、アコースティックピアノの外観とは若干異なるが、離鍵時において白鍵１１ｗの上面が同一平面上に位置するようにしてもよい。また、離鍵時において黒鍵１１ｂの上面が同一平面上に位置するようにしてもよい。この場合、離鍵時において、長さの異なる２つの鍵を比較したとき、短い鍵の揺動中心を、長い鍵における平面Ｓ１，Ｓ２（図５及び図６参照）内に位置させればよい。
【００５１】
また、上記実施形態及びその変形例においては、ハンマーの前後方向の長さを共通としたが、低音部のハンマーから高音部のハンマーへ向かうに従って、徐々に短くなるようにしてもよい。この場合、低音部から高音部へ向かうハンマーの長さの変化率を一定としておき、下限ストッパ２０及び上限ストッパ２１を低音部側よりも高音部側が前方に位置するように延設しておけばよい。すなわち、平面視において、下限ストッパ２０及び上限ストッパ２１を斜めに延設して、各ハンマーの揺動角度の範囲を共通にすればよい。これによっても、ハンマーごとにストッパを設ける場合に比べて、部品点数を削減でき、鍵盤装置のコストを削減できる。
【符号の説明】
【００５２】
１１ｗ・・・白鍵、１１ｂ・・・黒鍵、１１ｗ１，１１ｂ１・・・駆動部、１２・・・鍵フレーム、１３ｗ，１３ｂ・・・鍵支持部、１６ｗ，１６ｂ・・・ハンマー、１６ｗ１，１６ｂ１・・・基部、１６ｗ２，１６ｂ２・・・連結棒、１６ｗ３，１６ｂ３・・・質量体、１８ｗ，１８ｂ・・・ハンマー支持部、２０・・・下限ストッパ、２１・・・上限ストッパ、Ｐｗ１，Ｐｂ１・・・当接部、ＦＲ・・・フレーム
【図１】
2013167726.tif 000003
【図２】
2013167726.tif 000004
【図３】
2013167726.tif 000005
【図４】
2013167726.tif 000006
【図５】
2013167726.tif 000007
【図６】
2013167726.tif 000008
【図７】
2013167726.tif 000009
【図８】
2013167726.tif 000010
【手続補正書】
【提出日】平成25年1月9日(2013.1.9)
【手続補正１】
【補正対象書類名】図面
【補正対象項目名】図１
【補正方法】変更
【補正の内容】
【図１】
2013167726.tif 000011
【手続補正２】
【補正対象書類名】図面
【補正対象項目名】図２
【補正方法】変更
【補正の内容】
【図２】
2013167726.tif 000012
【手続補正３】
【補正対象書類名】図面
【補正対象項目名】図３
【補正方法】変更
【補正の内容】
【図３】
2013167726.tif 000013